(57)【要約】【課題】移動販売店舗の販売場所や商品情報等をインターネットを利用して、店舗ごとに閲覧することができる移動販売店舗位置情報等システムに関するものである。【解決手段】移動販売店舗１に、ＧＰＳ４と通信手段８とを搭載し、通信手段８は、ＧＰＳ４で取得した座標をインターネット３を介して店舗情報提供サーバ９に送信して店舗情報データベース１０の記憶装置に格納し、上記記憶装置に格納された上記座標にもとづいて、現在位置を更新して移動販売店舗ごとにウェブサイトに公開することにより、ウェブサイト閲覧者が地図情報提供サーバ１１の地図データベース１２の座標データを呼び出して、移動販売店舗１の情報を閲覧する。【選択図】図１
2017151572.tif 000002
【特許請求の範囲】
【請求項１】
移動販売店舗の位置座標を、通信手段を用いて、店舗情報提供サーバの店舗情報データベースへ格納し、当該インターネット上に公開されたウェブサイトを介して閲覧させる移動販売店舗位置情報等システムであって、移動販売店舗には、移動した移動販売店舗の位置の座標を緯度および経度から取得するＧＰＳと、当該座標を店舗情報提供サーバの店舗情報データベースの記憶装置に送信する通信手段を備えており、通信手段は、ＧＰＳにより取得した座標をインターネットを介して店舗情報提供サーバに送信し、店舗情報提供サーバは、通信手段から送信された座標を店舗情報データベースの記憶装置に格納するとともに、店舗情報データベースの記憶装置に格納された座標にもとづいて、現在位置を更新して、ウェブサイトに公開することにより、ウェブサイト閲覧者が、ウェブサイトにアクセスして店舗情報データベースを呼びだすとともに、インターネットに接続された地図情報提供サーバの地図データベースの座標データを呼び出して、地図上に移動販売店舗の現在位置を表示することを特徴とする移動販売店舗位置情報等システム。
【請求項２】
上記通信手段は、上記移動販売店舗の販売開始の操作によって、上記ＧＰＳが上記移動販売店舗の座標を一時的に取得し、当該座標を上記インターネットを介して上記店舗情報提供サーバの上記店舗情報データベースの上記記憶装置に送信し、上記店舗情報提供サーバは、上記通信手段から送信された上記座標を上記店舗情報データベースの上記記憶装置に格納するとともに、上記店舗情報データベースの上記記憶装置に格納された上記座標にもとづいて、現在位置を更新して、上記ウェブサイトに公開することにより、上記ウェブサイト閲覧者が、上記ウェブサイトにアクセスして上記店舗情報データベースを呼びだすとともに、上記インターネットに接続された上記地図情報提供サーバの上記地図データベースの座標データを呼び出して、上記移動販売店舗の現在位置を表示することを特徴とする請求項１に記載の移動販売店舗位置情報等システム。
【請求項３】
上記通信手段は、上記移動販売店舗から入力された商品情報等データを上記インターネットを介して上記店舗情報提供サーバの上記店舗情報データベースの記憶装置に送信し、上記店舗情報提供サーバは、上記通信手段から送信された商品情報等データを上記店舗情報データベースの上記記憶装置に格納して、上記ウェブサイトに公開することにより、上記ウェブサイト閲覧者が上記ウェブサイトにアクセスして、上記店舗情報データベースを呼びだすとともに、上記移動販売店舗の商品情報等データを閲覧することを特徴とする請求項１または２に記載の移動販売店舗位置情報等システム。
【請求項４】
上記インターネットに公開された上記ウェブサイトは、不特定多数の上記ウェブサイト閲覧者に、上記移動販売店舗ごとに異なるＵＲＬにアクセスさせることにより、該当する移動販売店舗の上記店舗情報提供サーバの上記店舗情報データベースの上記現在位置の座標と上記商品情報等データ、並びに上記地図情報提供サーバの上記地図データベースの上記座標データを呼び出して、該当する移動販売店舗の上記現在位置と上記商品情報等データを上記ウェブサイトの画面上に地図及び商品情報表示することを特徴とする請求項１から３のいずれかに記載の移動販売店舗位置情報等システム。
【発明の詳細な説明】
【技術分野】
【０００１】
本発明は、弁当やパンなどの移動販売店舗の販売場所や商品情報等をインターネットを利用して、閲覧することができる移動販売店舗位置情報等システムに関するものである。
【背景技術】
【０００２】
従来の弁当やパンなどの移動販売店舗は、販売場所・時間帯が一定していない場合が多く、日毎に異なる販売場所・時間帯で販売を行っている為、購入予定者はそれらを知ることが出来ずに購入機会を逃し、それと共に販売者は販売機会を逃していた。また、販売品目や価格が移動販売店舗にたどり着いてから判明する場合が多い為、新規購入予定者は、購入をためらう傾向にあった。
【０００３】
一方、ＧＰＳ機能付きモバイル端末（スマートフォンなど）が普及している昨今では、モバイル端末のバッテリー消費も考慮したシステム作りが必要になってきている。この為、ＧＰＳで座標を取得するシステムを構築する場合、ＧＰＳデバイスを常にアクティブにし、バッテリー消費を増大させる方法は好ましくない。
【発明の概要】
【発明が解決しようとする課題】
【０００４】
本発明は前記のような課題に鑑みてなされたものであって、移動販売店舗から購入予定者への、情報伝達の欠点を補完し、且つ、モバイル端末を用いたシステムを提供することを目的としている。
【課題を解決するための手段】
【０００５】
課題を解決するために、請求項１に記載の発明は、移動販売店舗の位置座標を、通信手段を用いて、店舗情報提供サーバの店舗情報データベースへ格納し、当該インターネット上に公開されたウェブサイトを介して閲覧させる移動販売店舗位置情報等システムであって、移動販売店舗には、移動した移動販売店舗の位置の座標を緯度および経度から取得するＧＰＳと、当該座標を店舗情報提供サーバの店舗情報データベースの記憶装置に送信する通信手段を備えており、通信手段は、ＧＰＳにより取得した座標をインターネットを介して店舗情報提供サーバに送信し、店舗情報提供サーバは、通信手段から送信された座標を店舗情報データベースの記憶装置に格納するとともに、店舗情報データベースの記憶装置に格納された座標にもとづいて、現在位置を更新して、ウェブサイトに公開することにより、ウェブサイト閲覧者が、ウェブサイトにアクセスして店舗情報データベースを呼びだすとともに、インターネットに接続された地図情報提供サーバの地図データベースの座標データを呼び出して、地図上に移動販売店舗の現在位置を表示することを特徴とするものである。
【０００６】
また、請求項２に記載の発明は、請求項１に記載の発明において、上記通信手段は、上記移動販売店舗の販売開始の操作によって、上記ＧＰＳが上記移動販売店舗の座標を一時的に取得し、当該座標を上記インターネットを介して上記店舗情報提供サーバの上記店舗情報データベースの上記記憶装置に送信し、上記店舗情報提供サーバは、上記通信手段から送信された上記座標を上記店舗情報データベースの上記記憶装置に格納するとともに、上記店舗情報データベースの上記記憶装置に格納された上記座標にもとづいて、現在位置を更新して、上記ウェブサイトに公開することにより、上記ウェブサイト閲覧者が、上記ウェブサイトにアクセスして上記店舗情報データベースを呼びだすとともに、上記インターネットに接続された上記地図情報提供サーバの上記地図データベースの座標データを呼び出して、上記移動販売店舗の現在位置を表示することを特徴とするものである。
【０００７】
さらに、請求項３に記載の発明は、請求項１または２に記載の発明において、上記通信手段は、上記移動販売店舗から入力された商品情報等データを上記インターネットを介して上記店舗情報提供サーバの上記店舗情報データベースの記憶装置に送信し、上記店舗情報提供サーバは、上記通信手段から送信された商品情報等データを上記店舗情報データベースの上記記憶装置に格納して、上記ウェブサイトに公開することにより、上記ウェブサイト閲覧者が上記ウェブサイトにアクセスして、上記店舗情報データベースを呼びだすとともに、上記移動販売店舗の商品情報等データを閲覧することを特徴とするものである。
【０００８】
そして、請求項４に記載の発明は、請求項１から３のいずれかに記載の発明において、上記インターネットに公開された上記ウェブサイトは、不特定多数の上記ウェブサイト閲覧者に、上記移動販売店舗ごとに異なるＵＲＬにアクセスさせることにより、該当する移動販売店舗の上記店舗情報提供サーバの上記店舗情報データベースの上記現在位置の座標と上記商品情報等データ、並びに上記地図情報提供サーバの上記地図データベースの上記座標データを呼び出して、該当する移動販売店舗の上記現在位置と上記商品情報等データを上記ウェブサイトの画面上に地図及び商品情報表示することを特徴とするものである。
【発明の効果】
【０００９】
本発明によれば、ウェブサイトに移動販売店舗の正確な販売位置情報を迅速に公開することができ、ウェブサイト閲覧者は移動販売店舗が現在どこの位置で販売しているのかを容易に知ることができる効果があることと、移動販売店舗の販売開始の操作時のみ、一時的に、ＧＰＳデバイスを作動させる方法なので、モバイル端末で利用した場合のバッテリー消費を、抑えることができる効果を有する発明である。
【図面の簡単な説明】
【００１０】
【図１】本発明の移動販売店舗位置情報等システムの一実施形態を示す概略図である。
【図２】本発明の移動販売店舗位置情報等システムのシステムサービスプログラムにおける移動販売店舗用のコントロール画面を示し、（ａ）はログイン画面、（ｂ）は移動販売店舗用コントロール画面、（ｃ）商品情報等データ編集画面である。
【図３】本発明の移動販売店舗位置情報等システムの店舗ステータススイッチ変更時の処理を示すフローチャートである。
【図４】本発明の移動販売店舗位置情報等システムの店舗ステータススイッチ変更時における、ＧＰＳ機能付きモバイル端末側の通信処理を示すフローチャートである。
【図５】本発明の移動販売店舗位置情報等システムの店舗ステータススイッチ変更時における、店舗情報提供サーバ側の処理を示すフローチャートである。
【図６】本発明の移動販売店舗位置情報等システムのウェブサイト閲覧者用の画面を示し、（ａ）は移動販売店舗位置情報等画面、（ｂ）は商品情報等データ画面である。
【発明を実施するための形態】
【００１１】
以下、図面を参照しつつ、本発明に係る移動販売店舗位置情報等システムの一実施形態について説明する。
まず、本実施形態の移動販売店舗位置情報等システムの概略を説明すれば、図１に示すように、移動販売店舗１の位置の緯度および経度から座標を取得するＧＰＳ４と、当該座標をインターネット３に送信する演算装置６および通信手段８とを備えたＧＰＳ機能付きモバイル端末２を備えた移動販売店舗１を有するとともに、インターネット３に接続されている店舗情報提供サーバ９の店舗情報データベース１０と、インターネット３に接続されている地図情報提供サーバ１１の地図データベース１２とを備えて概略構成されている。
【００１２】
ここで、移動販売店舗１は、複数の商品を積載して移動することができ、動力の有無には関係なく、自動車または自転車などで牽引するリヤカーが用いられている。
【００１３】
また、ＧＰＳ機能付きモバイル端末２は、スマートフォンが用いられる。このスマートフォン２は、ＧＰＳ４、演算装置６、通信手段８を備えている。そして、店舗情報提供サーバ９の店舗情報データベース１０の記憶装置には、移動販売店舗１が保有する移動販売事業者の会員情報や商品情報等データ、移動販売店舗識別用のパラメータ、及び初期位置座標データが登録される。また、地図情報提供サーバ１１の地図データベース１２には、日本全国の座標データおよび地図データが登録されている。
【００１４】
そして、本発明の移動販売店舗位置情報等サービスを利用するために、ウェブサイト運用センターが会員情報や商品情報等、およびウェブサイト閲覧者が閲覧を行うための専用のウェブサイトが、インターネット３上に公開されている。
【００１５】
ちなみに、ウェブサイト運用センターは、本発明の移動販売店舗位置情報等システムの運用管理を行う企業である。また、移動販売事業者は、移動販売店舗１を管理運用する企業であり、移動販売事業者は、本発明の移動販売店舗位置情報等システムを利用する当該移動販売事業者の担当者である。さらに、ウェブサイト閲覧者は、専用のウェブサイトから本発明の移動販売店舗位置情報等システムを利用して、移動販売店舗１の情報を閲覧する不特定多数の顧客である。
【００１６】
なお、図１におけるシステムサービスプログラム２ａは、ＧＰＳ４と演算装置６と通信手段８のデータや通信の連携をコントロールするコンピュータプログラムであり、店舗ステータススイッチ５はシステムサービスプログラム２ａが備える、ＧＵＩのドロップダウンリストを示し、また商品情報等データ７は移動販売事業者の入力した商品情報等のデータの事である。システムサービスプログラム２ａはＧＰＳ機能付きモバイル端末２にインストールすることで利用可能となる。
【００１７】
本発明による本実施形態の移動販売店舗位置情報等システムを用いるためには、まず上記移動販売事業者において、この移動販売店舗位置情報等システムを管理運用している企業の上記ウェブサイト運用センタに、会社情報など必要な情報を郵送またはＦＡＸを用いて連絡する。そして、この連絡のあった会社情報などを元に、上記ウェブサイト運用センターは、パーソナルコンピュータ１５を使いインターネット３にアクセスして、会員情報や商品情報等データ、移動販売店舗識別用のパラメータ、及び初期位置座標を、店舗情報提供サーバ９の店舗情報データベース１０の記憶装置に送信して登録するとともに、店舗ＩＤおよびパスワードを発行する。また、ＧＰＳ機能付きモバイル端末２で用いるシステムサービスプログラム２ａのダウンロードリンクも通知する。
【００１８】
そして、店舗ＩＤ、パスワードおよびシステムサービスプログラム２ａのダウンロードリンクの連絡を受けた上記移動販売事業者は、上記移動販売事業者によって、ＧＰＳ機能付きモバイル端末２から、上記ウェブサイト運用センタが管理運用する本発明の移動販売店舗位置情報等システムの専用のウェブサイトにアクセスし、上記ダウンロードリンクから、システムサービスプログラム２ａのダウンロードとインストールを行う。当該プログラムが起動すると、図２（ａ）に示すように、移動販売店舗用のログイン画面を表示する。そして、この画面上に表示されているテキストボックスに、発行された店舗ＩＤおよびパスワードをテキスト入力し、ログインボタンをタップすると、店舗情報提供サーバ９の店舗情報データベース１０に登録されている会員情報を参照し、店舗ＩＤおよびパスワードの認証が取れると、図２（ｂ）に示すように、画面が移動販売店舗用コントロール画面に遷移する。この時、同時に店舗情報データベース１０に登録済みの該当する店舗情報（名称、ステータス、緯度、経度、営業開始時間）も取得する。
【００１９】
ここで、上記遷移した移動販売店舗用コントロール画面には、図２（ｂ）に示すように、上記の取得した店舗情報（名称、ステータス、緯度、経度、営業開始時間）と、店舗ステータススイッチ５及び商品情報等データ編集ボタンが表示される。店舗ステータススイッチ５は販売開始または販売終了の切り替えが可能で、また、商品情報等データ編集ボタンは商品情報等データ編集画面を表示させることが可能である。
【００２０】
上記遷移した移動販売店舗用コントロール画面において、商品情報等データ編集ボタンをタップすると図２（ｃ）に示すように、商品情報等データ編集画面へ遷移する。この画面内の商品情報等データテキストボックスに、品名、価格などをテキスト入力し、登録ボタンをタップすると、演算装置６に商品情報等データ７として記憶される。
【００２１】
そして、商品情報等データ登録が終了したら、上記商品情報等データ編集画面の戻るのボタンをタップして、再び上記移動販売店舗用コントロール画面に戻り、移動販売店舗はシステム利用準備完了の状態となる。
【００２２】
次に、移動販売店舗１は販売予定場所へ移動し、ＧＰＳ機能付きモバイル端末２の画面において、上記移動販売店舗用コントロール画面の店舗ステータススイッチ５をタップし、これを販売開始へ切り替えて販売が開始される。また、販売終了時は、これを販売終了へ切り替えて販売終了とする。
【００２３】
ここで、ＧＰＳ機能付きモバイル端末２のシステムサービスプログラム２ａによって、上記店舗ステータススイッチ５のステータス変更時の処理がなされるのであるが、以下図３、図４及び図５のフローチャートをもとに説明する。
【００２４】
図３に示すように、店舗ステータススイッチ５が変更されると、開始の命令が、ＧＰＳ機能付きモバイル端末２の演算装置６により処理され、店舗ステータススイッチ５の変更後のステータス値の判定が行われる。変更後のステータス値が販売開始の場合は、ＧＰＳ４のＧＰＳ受信部が起動するとともに、移動販売店舗１の現在位置の緯度および経度から座標を取得する。その後、ＧＰＳ４のＧＰＳ受信部は停止する。さらに取得された座標は、上記商品情報等データ７及びステータス値、店舗ＩＤとともに、データ群Ｘとして演算装置６のデータ域に格納される。また、変更後のステータス値が販売終了の場合は、上記商品情報等データ７及びステータス値、店舗ＩＤが、データ群Ｘとして演算装置６のデータ域に格納される。このようにデータ群Ｘが用意された段階で、通信手段８の通信が開始される。
【００２５】
次に、図４に示すように、通信手段８にて上記インターネットを介して上記店舗情報提供サーバ９へ接続の確立を行い、上記データ群Ｘを上記店舗情報提供サーバ９へ電文送信する。上記インターネットを介して電文を受信した上記店舗情報提供サーバ９は、図５に示す通り、上記データ群Ｘを新しいレコードとして店舗情報データベース１０へ追加し、現在位置データを更新する。追加後は、上記新しいレコードよりデータを読み込みデータ群Ｙに格納する。引続き、上記データ群Ｘがデータ群Ｙと一致するかの比較判定が行われる。一致した場合は正常に更新されたものとみなし、データ群Ｙと処理成功フラグを、一致しない場合は更新失敗とみなし、処理失敗フラグを上記インターネットを介してＧＰＳ機能付きモバイル端末２の通信手段８へ電文送信する。この更新は、専用の上記ウェブサイトに反映される。
【００２６】
さらに、本実施形態の移動販売店舗位置情報等システムをインターネット上の専用のウェブサイトに公開して、不特定多数のウェブサイト閲覧者が移動販売店舗１の位置、及び商品情報等の表示を閲覧するには、まず、ウェブサイトを閲覧可能なスマートフォン１３またはパーソナルコンピュータ１４のウェブブラウザを開いて、移動販売店舗位置情報等システムが運営されている専用のウェブサイトにアクセスする。
【００２７】
この際、専用のウェブサイトのＵＲＬには移動販売店舗ごとに識別可能なパラメータが付されており、そのパラメータ値により店舗情報データベース１０に登録されているデータを呼び出し、更にその情報に基づいて、インターネットに接続された地図情報提供サーバ１１の地図データベース１２の座標データも呼び出しを行い、該当の移動販売店舗の位置情報等を、図６（ａ）に示すように、画面に表示する。この移動販売店舗位置情報等画面には、該当する移動販売店舗の位置を指すマーカーと店舗ステータスが地図上に表示され、同時に商品情報等データを表示するためのボタンも表示される。
【００２８】
ちなみに、上記商品情報等データ表示のボタンをクリックした際に表示される画面は図６（ｂ）のようになる。
【００２９】
なお、上記実施の形態において、ＧＰＳ機能付きモバイル端末２をスマートフォン２を用いた場合のみ説明したが、これに限定されるものではなく、例えば、タブレットやパーソナルコンピュータに代えても対応可能である。パーソナルコンピュータの場合には、ＧＰＳ４として、ＵＳＢインターフェイスを介して接続されているＧＰＳユニットが用いられるとともに、通信手段８として、３Ｇ通信網または公衆無線ＬＡＮ通信網を利用したデータ通信カード８が用いられる。
【符号の説明】
【００３０】
１  移動販売店舗
２  ＧＰＳ機能付きモバイル端末（移動販売事業者用）
２ａ  システムサービスプログラム
３  インターネット
４  ＧＰＳ
５  店舗ステータススイッチ
６  演算装置
７  商品情報等データ
８  通信手段
９  店舗情報提供サーバ
１０  店舗情報データベース
１１  地図情報提供サーバ
１２  地図データベース  
１３  スマートフォン（閲覧者用）
１４  パーソナルコンピュータ（閲覧者用）
１５  パーソナルコンピュータ（ウェブサイト運用センタ用）
Ｘ  店舗ステータススイッチ５の操作により生成されるデータ群
Ｙ  店舗情報データベース１０の更新時に読み込まれるデータ群
【図１】
2017151572.tif 000003
【図２】
2017151572.tif 000004
【図３】
2017151572.tif 000005
【図４】
2017151572.tif 000006
【図５】
2017151572.tif 000007
【図６】
2017151572.tif 000008